【手続補正書】
【提出日】平成15年7月23日(2003.7.23)
【手続補正１】
【補正対象書類名】明細書
【補正対象項目名】特許請求の範囲
【補正方法】変更
【補正の内容】
【特許請求の範囲】
【請求項１】
複数種類の記録ディスク媒体の装填を受け付ける映像記録装置において、
装填された前記記録ディスク媒体を判別する媒体判別手段と、
前記記録ディスク媒体に映像情報を含む信号を記録する記録処理手段と、
前記媒体判別手段に応じて、前記記録処理手段の記録転送レートを変更する記録転送レート変更手段とを有することを特徴とする映像記録装置。
【請求項２】
複数種類の記録ディスク媒体の装填を受け付ける映像記録装置において、
装填された前記記録ディスク媒体を判別する媒体判別手段と、
映像情報を取り込む撮像手段と、
前記撮像手段の出力情報を一時記憶する記憶手段と、
前記記憶手段から前記映像情報を含む信号を記録する記録処理手段と、
前記媒体判別手段に応じて、前記記録処理手段の記録転送レートを変更する記録転送レート変更手段とを有することを特徴とする映像記録装置。
【請求項３】
複数種類の記録ディスク媒体の装填を受け付ける映像記録装置において、
装填された前記記録ディスク媒体を判別する媒体判別手段と、
前記記録ディスク媒体に光を照射して映像情報を含む信号を記録する記録処理手段と、
各種類の記録ディスク媒体の基準記録転送レートによって照射する光量が異なる場合に、少なくともひとつの種類の記録ディスク媒体の記録転送レートを変更して各記録ディスク媒体に照射する光量が実質的に近づくように、各種類の記録ディスク媒体の記録転送レートを変更する記録転送レート変更手段とを有することを特徴とする映像記録装置。
【請求項４】
複数種類の記録ディスク媒体の装填を受け付ける映像記録装置において、
装填された前記記録ディスク媒体を判別する媒体判別手段と、
前記記録ディスク媒体に映像情報を含む信号を記録する記録処理手段と、
記録に際して、前記媒体判別手段に応じて、前記記録ディスク媒体の回転速度を変更する回転速度切換手段とを有することを特徴とする映像記録装置。
【請求項５】
複数種類の記録ディスク媒体の装填を受け付ける映像記録装置において、
装填された前記記録ディスク媒体を判別する媒体判別手段と、
映像情報を取り込む撮像手段と、
前記撮像手段の出力情報を一時記憶する記憶手段と、
前記記憶手段から前記映像情報を含む信号を記録する記録処理手段と、
記録に際して、前記媒体判別手段に応じて、前記記録ディスク媒体の回転速度を変更する回転速度切換手段とを有することを特徴とする映像記録装置。
【請求項６】
複数種類の記録ディスク媒体の装填を受け付ける映像記録装置において、
装填された前記記録ディスク媒体を判別する媒体判別手段と、
前記記録ディスク媒体に光を照射して映像情報を含む信号を記録する記録処理手段と、
各種類の記録ディスク媒体の基準回転速度によって照射する光量が異なる場合に、少なくともひとつの種類の記録ディスク媒体の回転速度を変更して各記録ディスク媒体に照射する光量が実質的に近づくように、各種類の記録ディスク媒体の回転速度を変更する回転速度切換手段とを有することを特徴とする映像記録装置。
【請求項７】
請求項１乃至３のいずれか一項に記載の映像記録装置において、
複数種類の記録ディスク媒体は、少なくとも追記型ディスクと書換型ディスクを含むことを特徴とする映像記録装置。
【請求項８】
請求項７に記載の映像記録装置において、
前記記録転送レート変更手段は、前記追記型ディスクより前記書換型ディスクの方が高速の記録転送レートを選択することを特徴とする映像記録装置。
【請求項９】
請求項１乃至３のいずれか一項に記載の映像記録装置において、
複数種類の記録ディスク媒体は、少なくとも色素系のディスクと相変化型のディスクを含むことを特徴とする映像記録装置。
【請求項１０】
請求項９に記載の映像記録装置において、
前記記録転送レート変更手段は、前記色素系のディスクより前記相変化型のディスクの方が高速の記録転送レートを選択することを特徴とする映像記録装置。
【請求項１１】
請求項１乃至３のいずれか一項の映像記録装置において、
複数種類の記録ディスク媒体は、少なくともＤＶＤ−ＲディスクとＤＶＤ−ＲＡＭディスクを含むことを特徴とする映像記録装置。
【請求項１２】
請求項１１に記載の映像記録装置において、
前記記録転送レート変更手段は、前記ＤＶＤ−Ｒディスクより前記ＤＶＤ−ＲＡＭディスクの方が高速の記録転送レートを選択することを特徴とする映像記録装置。
【請求項１３】
複数種類のディスク媒体の装填を受け付ける映像再生装置において、
装填された前記ディスク媒体を判別する媒体判別手段と、
前記ディスク媒体から映像情報を含む信号を再生する再生処理手段と、
前記媒体判別手段に応じて、前記再生処理手段の再生転送レートを変更する再生転送レート変更手段とを有することを特徴とする映像再生装置。
【請求項１４】
複数種類のディスク媒体の装填を受け付ける映像再生装置において、
装填された前記ディスク媒体を判別する媒体判別手段と、
前記ディスク媒体から映像情報を含む信号を再生する再生処理手段と、
前記再生処理手段の出力情報を一時記憶する記憶手段と、
前記記憶手段から前記映像情報を表示する表示手段と、
前記媒体判別手段に応じて、前記再生処理手段の再生転送レートを変更する再生転送レート変更手段とを有することを特徴とする映像再生装置。
【請求項１５】
複数種類のディスク媒体の装填を受け付ける映像再生装置において、
装填された前記ディスク媒体を判別する媒体判別手段と、
前記ディスク媒体から映像情報を含む信号を再生する再生処理手段と、
再生に際して、前記媒体判別手段に応じて、前記ディスク媒体の回転速度を変更する回転速度切換手段とを有することを特徴とする映像再生装置。
【請求項１６】
複数種類のディスク媒体の装填を受け付ける映像再生装置において、
装填された前記ディスク媒体を判別する媒体判別手段と、
前記ディスク媒体から映像情報を含む信号を再生する再生処理手段と、
前記再生処理手段の出力情報を一時記憶する記憶手段と、
前記記憶手段から前記映像情報を表示する表示手段と、
再生に際して、前記媒体判別手段に応じて、前記ディスク媒体の回転速度を変更する回転速度切換手段とを有することを特徴とする映像再生装置。
【請求項１７】
挿抜可能なディスク媒体に映像情報を記録する映像記録装置において、
前記ディスク媒体に前記映像情報を含む信号を記録する記録処理手段を具備し、前記記録処理手段を第一の記録転送レートにて動作する第一の記録モードと、
前記記録処理手段を前記第一とは異なる第二の記録転送レートで動作する第二の記録モードと、
を有することを特徴とする映像記録装置。
【請求項１８】
挿抜可能なディスク媒体に映像情報を記録する映像記録装置において、
映像情報を取り込む撮像手段と、
前記撮像手段の出力情報を一時記憶する記憶手段と、
前記記憶手段からディスク媒体に前記映像情報を含む信号を記録する記録処理手段とを具備し、
前記記録処理手段を第一の記録転送レートにて動作する第一の記録モードと、
前記記録処理手段を前記第一とは異なる第二の記録転送レートで動作する第二の記録モードと、
を有することを特徴とする映像記録装置。
【請求項１９】
挿抜可能なディスク媒体に映像情報を記録する映像記録装置において、
前記ディスク媒体に前記映像情報を含む信号を記録する記録処理手段を具備し、ディスク媒体を第一の回転速度で回転して前記記録処理手段にて記録する第一の記録モードと、
ディスク媒体を前記第一とは異なる第二の回転速度で回転して前記記録処理手段にて記録する第二の記録モードと、
を有することを特徴とする映像記録装置。
【請求項２０】
挿抜可能なディスク媒体に映像情報を記録する映像記録装置において、
撮像情報を取り込む撮像手段と、
前記撮像手段から出力された映像情報を一時記憶する記憶手段と、
前記記憶手段からディスク媒体に前記映像情報を含む信号を記録する記録処理手段とを具備し、
ディスク媒体を第一の回転速度で回転して前記記録処理手段にて記録する第一の記録モードと、
ディスク媒体を前記第一とは異なる第二の回転速度で回転して前記記録処理手段にて記録する第二の記録モードと、
を有することを特徴とする映像記録装置。
【請求項２１】
請求項１７乃至２０のいずれか一項に記載の映像記録装置において、
前記第一の記録モードと前記第二の記録モードで、前記映像情報は異なる圧縮率にて圧縮した信号を用いて記録することを特徴とする映像記録装置。
【請求項２２】
請求項１７乃至２０のいずれか一項に記載の映像記録装置において、
前記第一の記録モードと前記第二の記録モードで、前記映像情報は異なる圧縮方法にて圧縮した信号を用いて記録することを特徴とする映像記録装置。
【請求項２３】
請求項２２に記載の映像記録装置において、
前記圧縮方法は固定ビットレートまたは可変ビットレートを設定することを特徴とする映像記録装置。
【請求項２４】
挿抜可能なディスク媒体から映像情報を再生する映像再生装置において、
前記ディスク媒体から前記映像情報を含む信号を再生する再生処理手段を具備し、
前記再生処理手段を第一の再生転送レートにて動作する第一の再生モードと、
前記再生処理手段を前記第一とは異なる第二の再生転送レートで動作する第二の再生モードと、
を有することを特徴とする映像再生装置。
【請求項２５】
挿抜可能なディスク媒体から映像情報を再生する映像再生装置において、
前記ディスク媒体から映像情報を含む信号を再生する再生処理手段と、
前記再生処理手段の出力情報を一時記憶する記憶手段と、
前記記憶手段から前記映像情報を表示する表示手段とを具備し、
前記再生処理手段を第一の再生転送レートにて動作する第一の再生モードと、
前記再生処理手段を前記第一とは異なる第二の再生転送レートで動作する第二の再生モードと、
を有することを特徴とする映像再生装置。
【請求項２６】
挿抜可能なディスク媒体から映像情報を再生する映像再生装置において、
前記ディスク媒体から前記映像情報を含む信号を再生する再生処理手段を具備し、
ディスク媒体を第一の回転速度で回転して前記再生処理手段にて再生する第一の再生モードと、
ディスク媒体を前記第一とは異なる第二の回転速度で回転して前記再生処理手段にて再生する第二の再生モードと、
を有することを特徴とする映像再生装置。
【請求項２７】
挿抜可能なディスク媒体から映像情報を再生する映像再生装置において、
前記ディスク媒体から映像情報を含む信号を再生する再生処理手段と、
前記再生処理手段の出力情報を一時記憶する記憶手段と、
前記記憶手段から前記映像情報を表示する表示手段とを具備し、
ディスク媒体を第一の回転速度で回転して前記再生処理手段にて再生する第一の再生モードと、
ディスク媒体を前記第一とは異なる第二の回転速度で回転して前記再生処理手段にて再生する第二の再生モードと、
を有することを特徴とする映像再生装置。
【請求項２８】
請求項１乃至１２および１７乃至２３のいずれか一項に記載の映像記録装置を、カメラ撮像装置から映像信号を記録する構成とすることを特徴とするカメラ一体型記録装置。
【請求項２９】
請求項１乃至２７のいずれか一項に記載の映像記録装置または映像再生装置を、情報伝送路インターフェースを有した情報処理装置の映像情報を記録または再生する構成とすることを特徴とする情報処理装置。
【請求項３０】
請求項１３乃至１６および２４乃至２７のいずれか一項に記載の映像再生装置からの再生信号を表示するモニター装置と一体化することを特徴とするモニター一体型映像再生装置。